(57)【要約】 【課題】視聴中断したコンテンツについての視聴中断した部分のコンテンツ映像を、迅速にプレビュー画像として表示することができるコンテンツ再生装置を提供する。【解決手段】コンテンツ再生装置の制御手段としてのＣＰＵ４０は、今回視聴中断したコンテンツのレジューム情報の取得処理とともに、ビデオデコード／キャプチャ部２１１に、視聴終了の指示が供給されたとき又はその前後近傍の、ビデオデコード／キャプチャ部２１１が再生したコンテンツ映像を、キャプチャ画像データとして取り込ませ、ステップＳ160で縮小・圧縮等といったデータ処理を施した後に、キャプチャ画像データ記憶部５２にレジューム情報と対応付けて記憶する（ステップＳ170）。【選択図】図１
2008167251.tif 000002
【特許請求の範囲】
【請求項１】
サーバに送信した配信要求に対応して、当該サーバからストリーミング形式で配信されるコンテンツの配信データを受信し、視聴のための再生を行うコンテンツ再生装置であって、
コンテンツの再生途中における視聴終了を検出する視聴中断検出手段と、
該視聴中断検出手段による視聴終了の検出に基づき、当該コンテンツの当該視聴中断時に対応した時間軸位置のコンテンツ映像を取り込むキャプチャ手段と、
当該視聴中断したコンテンツに対応させて、該キャプチャ手段が取り込んだキャプチャ画像を保存するキャプチャ画像記憶手段と、
コンテンツの視聴に際して、サーバから配信可能なコンテンツの情報を取得するコンテンツ情報取得手段と、
該コンテンツ情報取得手段によって取得された配信可能なコンテンツと前記キャプチャ画像記憶手段に保存されているコンテンツとを対照し、該コンテンツ情報取得手段によって取得された配信可能なコンテンツの中、前記キャプチャ画像記憶手段にキャプチャ画像が保存されているコンテンツについて、視聴中断したコンテンツとして、対応するキャプチャ画像をプレビューとして付加した、配信要求するコンテンツの選択のための案内を生成する案内生成手段と
を備えていることを特徴とするコンテンツ再生装置。
【請求項２】
前記キャプチャ画像記憶手段は、サーバからの当該視聴中断したコンテンツの配信データのメタ情報と対応付けて、前記キャプチャ手段が取り込んだ当該コンテンツのキャプチャ画像を保存する
ことを特徴とする請求項１記載のコンテンツ再生装置。
【請求項３】
前記キャプチャ画像記憶手段は、該視聴中断検出手段による視聴終了の検出に基づき、当該視聴中断したコンテンツについて次回サーバから配信を受ける場合に、当該視聴中断した部分の続きから配信を受けるために生成される当該視聴中断したコンテンツのレジューム情報と対応付けて、前記キャプチャ手段が取り込んだ当該コンテンツのキャプチャ画像を保存する
ことを特徴とする請求項１記載のコンテンツ再生装置。
【請求項４】
サーバに送信した配信要求に対応して、当該サーバからストリーミング形式で配信されるコンテンツの配信データを受信し、視聴のための再生を行うコンテンツ再生装置に用いられ、配信要求するコンテンツを選択する際に視聴中断したコンテンツを案内するコンテンツ案内方法であって、
コンテンツの再生途中における視聴終了を検出する視聴中断検出ステップ、
該視聴中断検出ステップによる視聴終了の検出に基づき、当該コンテンツの当該視聴中断時に対応した時間軸位置のコンテンツ映像を取り込むキャプチャステップ、
該キャプチャステップによって取り込まれたキャプチャ画像を、当該視聴中断したコンテンツに対応させて保存するキャプチャ画像保存ステップ、
コンテンツの視聴に際して、サーバから配信可能なコンテンツの情報を取得するコンテンツ情報取得ステップ、
該コンテンツ情報取得ステップによって取得された配信可能なコンテンツと前記キャプチャ画像記憶ステップによって保存されたコンテンツとを対照し、該コンテンツ情報取得ステップによって取得された配信可能なコンテンツの中、前記キャプチャ画像記憶ステップによって保存されているコンテンツについて、視聴中断したコンテンツとして、対応するキャプチャ画像を付加した、配信要求するコンテンツの選択のための案内を生成する案内生成ステップ
を有することを特徴とするコンテンツ案内方法。
【請求項５】
コンピュータを、
サーバに送信した配信要求に対応して、当該サーバからストリーミング形式で配信されるコンテンツの配信データを受信し、視聴のための再生を行うコンテンツ再生装置にあって、
コンテンツの再生途中における視聴終了を検出する視聴中断検出手段と、
該視聴中断検出手段による視聴終了の検出に基づき、当該コンテンツの当該視聴中断時に対応した時間軸位置のコンテンツ映像を取り込むキャプチャ手段と、
当該視聴中断したコンテンツに対応させて、該キャプチャ手段が取り込んだキャプチャ画像を保存するキャプチャ画像記憶手段と、
コンテンツの視聴に際して、サーバから配信可能なコンテンツの情報を取得するコンテンツ情報取得手段と、
該コンテンツ情報取得手段によって取得された配信可能なコンテンツと前記キャプチャ画像記憶手段に保存されているコンテンツとを対照し、該コンテンツ情報取得手段によって取得された配信可能なコンテンツの中、前記キャプチャ画像記憶手段にキャプチャ画像が保存されているコンテンツについて、視聴中断したコンテンツとして、対応するキャプチャ画像をプレビューとして付加した、配信要求するコンテンツの選択のための案内を生成する案内生成手段
として機能させるためのプログラム。
【請求項６】
コンピュータを、
サーバに送信した配信要求に対応して、当該サーバからストリーミング形式で配信されるコンテンツの配信データを受信し、視聴のための再生を行うコンテンツ再生装置にあって、
コンテンツの再生途中における視聴終了を検出する視聴中断検出手段と、
該視聴中断検出手段による視聴終了の検出に基づき、当該コンテンツの当該視聴中断時に対応した時間軸位置のコンテンツ映像を取り込むキャプチャ手段と、
当該視聴中断したコンテンツに対応させて、該キャプチャ手段が取り込んだキャプチャ画像を保存するキャプチャ画像記憶手段と、
コンテンツの視聴に際して、サーバから配信可能なコンテンツの情報を取得するコンテンツ情報取得手段と、
該コンテンツ情報取得手段によって取得された配信可能なコンテンツと前記キャプチャ画像記憶手段に保存されているコンテンツとを対照し、該コンテンツ情報取得手段によって取得された配信可能なコンテンツの中、前記キャプチャ画像記憶手段にキャプチャ画像が保存されているコンテンツについて、視聴中断したコンテンツとして、対応するキャプチャ画像をプレビューとして付加した、配信要求するコンテンツの選択のための案内を生成する案内生成手段
として機能させるためのプログラムを記録したコンピュータ読み取り可能な記録媒体。
【発明の詳細な説明】
【技術分野】
【０００１】
本発明は、動画配信サービスに用いられるコンテンツ再生装置に係り、特に、視聴中断したコンテンツを視聴し直す際に、既に視た部分の続きから自動的に視聴を再開できるレジューム機能を備えたコンテンツ再生装置、及びこのコンテンツ再生装置に用いられるコンテンツ案内方法に関する。
【背景技術】
【０００２】
従来、ＶＯＤ（Video on Demand）を代表とする動画配信サービスでは、ストリーミング方式のコンテンツ配信が行われている。ストリーミング方式のコンテンツ配信では、コンテンツの配信を受けるコンテンツ再生装置は、インターネット等の通信ネットワークを介して接続された動画配信サービス会社のサーバから逐次送信されてくる、配信要求したコンテンツの分割データを随時バッファリングしながら再生することによって、コンテンツのスムーズな視聴が行える構成になっている。
【０００３】
このストリーミング方式のコンテンツ配信に対応したコンテンツ再生装置の中には、視聴を中断したコンテンツを視聴し直す際の利便性をはかるため、視聴を中断したコンテンツの配信を再び受ける際には、動画配信サービス会社のサーバから、最初からではなく既に視た部分の続きからコンテンツの配信を受けることができるレジューム機能が備えられているものがある。
【０００４】
このレジューム機能を備えたコンテンツ再生装置の一例として、特開２００３−１８９２７６号公報（特許文献１）に記載されたストリーミング情報配信システムに用いられているユーザ端末のようなコンテンツ再生装置がある。
【０００５】
このストリーミング情報配信システムでは、コンテンツ再生装置でストリーミングコンテンツの再生途中で、ユーザすなわち視聴者がその視聴終了操作（再生終了操作）を行った場合は、動画配信サービス会社のサーバ、又は視聴者のコンテンツ再生装置に設けられた視聴情報記録手段に、この視聴終了したストリーミングコンテンツのコンテンツタイトルに対応させて、視聴終了時におけるストリーミングデータの先頭からの時間軸位置（経過時間）を含む時間マークが、視聴記録として記録される構成になっている。そして、コンテンツ再生装置でコンテンツの視聴を行う場合には、これから視聴するコンテンツの選択に際して、この視聴情報記録手段に記憶されている視聴記録を基に、既に再生したコンテンツの時間マークを含む再生リストが作成され、コンテンツ再生装置の表示手段に表示される構成になっている。
【０００６】
したがって、視聴者は、視聴中断したコンテンツを視聴し直す場合には、コンテンツ再生装置の表示手段に表示されるコンテンツの再生リスト上で、所望のコンテンツタイトルに対応した時間マークを指定することにより、指定した時間マークに対応した時間軸位置（経過時間）から、動画配信サービス会社のサーバよりそのストリーミングデータの配信を受け、既に視聴した部分の続きから視聴できる構成になっている。
【０００７】
また、特開２００４−３５６８６７公報（特許文献２）には、コンテンツを配信するサーバとコンテンツの配信を受ける端末装置としてのコンテンツ再生装置との間に、ユビキタス・ストリーミング装置を配置したストリーミング情報配信システムが示されている。
【０００８】
ユビキタス・ストリーミング装置は、その検出手段が、サーバとコンテンツ再生装置との間でやり取りされるコンテンツデータそのもののデータ流の情報、又はコンテンツの選択・再生・停止等に関わる制御流の情報に基づいて、端末装置での視聴中のコンテンツについての視聴中断を検出して、その視聴中断した停止位置，視聴者の識別，コンテンツの識別を含む中断情報を生成し、この中断情報を記録手段が記録しておく構成になっている。
【０００９】
そして、視聴者がコンテンツ再生装置で視聴中断したコンテンツを視聴し直す際には、ユビキタス・ストリーミング装置の復元手段が、記録手段に記録されている中断情報に基づいて、視聴中断したコンテンツの再生を視聴中断した時点から開始するための情報を復元し、サーバに配信要求する構成になっている。
【００１０】
このユビキタス・ストリーミング装置によれば、視聴者は、視聴中断したコンテンツ再生装置とは別のコンテンツ再生装置やプレイヤー・ソフトのプロセスからでもレジューム機能が行えるようになり、視聴中断した停止位置，コンテンツの識別，視聴者の識別といった情報を含む中断情報を、データ流の情報又は制御流の情報に基づいて生成して保存しておくことによって、メタ情報として使用することができるようになっている。
【００１１】
【特許文献１】特開２００３−１８９２７６公報
【特許文献２】特開２００４−３５６８６７公報
【発明の開示】
【発明が解決しようとする課題】
【００１２】
上記特許文献１に記載されているストリーミング情報配信システムの場合は、視聴者がこれから視聴するコンテンツを選択する際に、コンテンツ再生装置では、その視聴情報記録手段に記載されているコンテンツ名及びその時間情報を基に、コンテンツの再生リストを作成して、視聴者に提示できるようになっている。
【００１３】
しかし、このコンテンツの再生リストでは、コンテンツ毎に、コンテンツタイトルと、その視聴終了時におけるストリーミングデータの先頭からの時間軸位置（経過時間）とが視聴者に提示されるだけなので、視聴者は、そのコンテンツがどのような内容で、どこから再生が始まるかを、このコンテンツタイトル及び時間軸位置を基にした、自身の記憶を頼りに把握しなければならかった。そのため、視聴者は、これから視聴するコンテンツを選択する際に、視聴中断したままのコンテンツに付されている時間マークを生かすことができなかった。
【００１４】
そこで、視聴者がこれから視聴するコンテンツを選択する際に、視聴中断したコンテンツを含む既に視聴したコンテンツが、どのような内容でどこから再生が始まるかを、視聴者が容易に把握できるように、その視聴情報記録手段に記載されているコンテンツ名及びその時間軸位置情報に基づいて、再生リストに記載されているコンテンツそれぞれのプレビューの配信を動画配信サービス会社のサーバからコンテンツ再生装置が受け、その表示手段にコンテンツタイトル及びその時間軸位置情報に加えて取得した視聴中断したコンテンツシーンのプレビューを表示することも考えられる。
【００１５】
しかし、配信サービス会社のサーバが、コンテンツそれぞれのプレビューの生成やこれら生成したプレビューの配信に関して、レスポンスが遅いサーバである場合は、視聴者が、コンテンツ名とその時間軸位置情報とを指定して、既に視聴したコンテンツのプレビューを要求しても、コンテンツそれぞれのプレビューをコンテンツ再生装置がサーバから受けるまでに多くの時間がかかる。また、視聴者がこれから視聴するコンテンツを選択する際のレスポンスも、このプレビューをサーバ側で生成及び配信処理する分だけ悪くなり、視聴者のコンテンツ再生装置では所望のコンテンツの配信要求の送信、ひいては所望のコンテンツの再生開始が遅れる。
【００１６】
また、特許文献２に記載されている、配信サーバとコンテンツ再生装置との間にユビキタス・ストリーミング装置を配置したストリーミング情報配信システムの場合も、レジューム機能を備えていないコンテンツ再生装置にレジューム機能を付加するためには、データ流の情報又は制御流の情報に基づいて、視聴中断した停止位置、コンテンツの識別、視聴者の識別といった情報を含む中断情報を生成して保存しておき、メタ情報として使用することで十分であるが、特許文献１に記載されているユーザ端末の場合と同様に、視聴者がこれから視聴するコンテンツを選択する際は、視聴中断したコンテンツのレジューム位置を含む、既に視聴したコンテンツを判り易く画像情報で視聴者に提示することはできない。
【００１７】
本発明は、上記した問題点を解決したものであって、コンテンツの視聴選択の際には、視聴中断したコンテンツについての視聴中断した部分のコンテンツ映像を、迅速にプレビュー画像として表示することができるコンテンツ再生装置、及びこのコンテンツ再生装置に用いられるコンテンツ案内方法を提供することを目的とする。
【課題を解決するための手段】
【００１８】
本発明のコンテンツ再生装置は、コンテンツの視聴選択の際に表示する、視聴中断したコンテンツについての視聴中断した部分のコンテンツ映像、すなわちプレビューを、視聴者（ユーザ）がコンテンツの途中で視聴終了したときに、配信サービス会社のサーバから配信されている視聴中断した部分のコンテンツ映像を、当該コンテンツについてのコンテンツの視聴選択の際のプレビューとして取得し、保存しておくことを特徴とする。そして、次に視聴者がコンテンツを視聴しようとする際には、これから視聴する所望のコンテンツを選択するための視聴可能なコンテンツについての案内画面上で、従前に視聴中断したコンテンツについては、この保存してある対応するコンテンツ映像を、プレビューとして表示できることを特徴とする。これにより、視聴するコンテンツの選択に際して、配信サービス会社のサーバから視聴中断した部分のコンテンツ映像をストリーミングで取得する必要がなくなり、視聴者に視聴中断したコンテンツの視聴中断した部分のコンテンツ映像を迅速にプレビューとして提示することができる。
【００１９】
そのために、本発明のコンテンツ再生装置は、サーバに送信した配信要求に対応して、当該サーバからストリーミング形式で配信されるコンテンツの配信データを受信し、視聴のための再生を行うコンテンツ再生装置であって、コンテンツの再生途中における視聴終了を検出する視聴中断検出手段と、視聴中断検出手段による視聴終了の検出に基づき、当該コンテンツの当該視聴中断時に対応した時間軸位置のコンテンツ映像を取り込むキャプチャ手段と、当該視聴中断したコンテンツに対応させて、キャプチャ手段が取り込んだキャプチャ画像を保存するキャプチャ画像記憶手段と、コンテンツの視聴に際して、サーバから配信可能なコンテンツの情報を取得するコンテンツ情報取得手段と、コンテンツ情報取得手段によって取得された配信可能なコンテンツとキャプチャ画像記憶手段に保存されているコンテンツとを対照し、コンテンツ情報取得手段によって取得された配信可能なコンテンツの中、キャプチャ画像記憶手段にキャプチャ画像が保存されているコンテンツについて、視聴中断したコンテンツとして、対応するキャプチャ画像を付加した、配信要求するコンテンツの選択のための案内を生成する案内生成手段とを備えていることを特徴とする。
【００２０】
また、本発明のコンテンツ案内方法は、サーバに送信した配信要求に対応して、当該サーバからストリーミング形式で配信されるコンテンツの配信データを受信し、視聴のための再生を行うコンテンツ再生装置に用いられ、配信要求するコンテンツを選択する際に視聴中断したコンテンツを案内するコンテンツ案内方法であって、コンテンツの再生途中における視聴終了を検出する視聴中断検出ステップ、視聴中断検出ステップによる視聴終了の検出に基づき、当該コンテンツの当該視聴中断時に対応した時間軸位置のコンテンツ映像を取り込むキャプチャステップ、キャプチャステップによって取り込まれたキャプチャ画像を、当該視聴中断したコンテンツに対応させて保存するキャプチャ画像保存ステップ、コンテンツの視聴に際して、サーバから配信可能なコンテンツの情報を取得するコンテンツ情報取得ステップ、コンテンツ情報取得ステップによって取得された配信可能なコンテンツとキャプチャ画像記憶ステップによって保存されたコンテンツとを対照し、コンテンツ情報取得ステップによって取得された配信可能なコンテンツの中、キャプチャ画像記憶ステップによって保存されているコンテンツについて、視聴中断したコンテンツとして、対応するキャプチャ画像を付加した、配信要求するコンテンツの選択のための案内を生成する案内生成ステップを有することを特徴とする。
【００２１】
また、本発明は、コンピュータを、上述の、視聴中断検出手段、キャプチャ手段、キャプチャ画像記憶手段、コンテンツ情報取得手段、及び案内生成手段を備えたコンテンツ再生装置として機能させるためのプログラム、又はこのプログラムを記録したコンピュータ読み取り可能な記録媒体である。
【発明の効果】
【００２２】
本発明のコンテンツ再生装置及びコンテンツ案内方法によれば、所望のコンテンツの配信要求に対応し、ストリーミング形式で配信されるコンテンツの視聴を途中で終了し、視聴中断した場合であっても、視聴中断した部分のコンテンツ映像がコンテンツ再生装置にその視聴中断時に既に保存されているので、次に視聴者がコンテンツの視聴を行う際には、これから視聴する所望のコンテンツを選択する画面上で、従前に視聴中断したコンテンツについて、この保存されている対応するコンテンツ映像を用いて迅速に視聴中断した部分のプレビューを表示することができ、視聴者は、選択対象のコンテンツが、視聴途中のままのコンテンツであること、また前回どこまでのシーンを見たのかを思い出し易くなり、配信要求する所望のコンテンツの選択をスムーズに行うことができる。
【００２３】
そのプレビューとして表示される、従前に視聴中断したコンテンツについての視聴中断した部分のコンテンツ映像は、従前に視聴中断した視聴終了時に、コンテンツ再生装置が、そのコンテンツの配信データからキャプチャ画像として取り込んで保存しておくため、これから視聴する所望のコンテンツの選択やその配信要求の送信に際して、この視聴中断した部分のコンテンツ映像を取得するための不要なネットワークトラフィックが必要なくなり、レスポンスの遅い配信サーバでも快適に使用できる。
【００２４】
また、コンテンツ再生装置は、視聴中断した視聴終了時に、視聴中断した部分のコンテンツ映像を取得して保存するので、視聴中断した部分のコンテンツ映像を取得するためのネットワークに対する余分な処理も必要なく、コンテンツ再生装置自体の処理への影響も軽減できる。
【発明を実施するための最良の形態】
【００２５】
本発明のコンテンツ再生装置、及びコンテンツ案内方法の実施の形態について、図面とともに説明する。
【００２６】
図１は、本発明のコンテンツ再生装置の一実施の形態としてのセットトップボックスのシステム構成図である。
【００２７】
本実施の形態のコンテンツ再生装置１は、アナログテレビジョン放送を受信するアナログ放送受信部１１と、デジタルテレビジョン放送を受信するデジタル放送受信部１２と、ＩＰ放送を受信するＩＰ放送受信部１３との、３つの放送受信部１０を備えたセットトップボックス(ＳＴＢ：Set Top Box)１-１として構成されている。
【００２８】
アナログ放送受信部１１は、アンテナ１１１，アナログチューナー部１１２，及びＡＶスイッチ部１１３を備えている。
【００２９】
アンテナ１１１は、アナログ放送電波を受信する。アナログチューナー部１１２は、アンテナ１１１によって受信されるアナログ放送電波の中から、後述する選局部４４から受信指示された放送周波数の選局を行い、選局した放送周波数を用いて送信されるアナログ放送コンテンツのビデオ／オーディオ信号を復調出力する。
【００３０】
ＡＶ(Audio & Visual)スイッチ部１１３は、アナログチューナー部１１２から復調出力されるビデオ／オーディオ信号と、外部入力端子１１４を介して接続された図示せぬＶＴＲ等の外部ＡＶ機器から出力されるビデオ／オーディオ信号とが供給され、後述する制御手段としてのＣＰＵ４０による切換指示に基づいて、アナログチューナー部１１２又は外部入力端子１１４の中のいずれか一方からのビデオ／オーディオ信号を切り換え出力する。ＡＶスイッチ部１１３で切り換え出力されたビデオ／オーディオ信号の中、ビデオ信号は、ＡＶスイッチ部１１３から後述のビデオセレクタ部２１２へ供給され、オーディオ信号は、ＡＶスイッチ部１１３から後述のオーディオセレクタ部２２２へ供給される。
【００３１】
デジタル放送受信部１２は、アンテナ１２１と、デジタルチューナー部１２２と、デジタル復調部１２３と、多重分離部(ＤＭＵＸ：Demultiplexer) １２４とを備えている。
【００３２】
アンテナ１２１は、デジタル放送電波を受信する。デジタルチューナー部１２２は、アンテナ１２１によって受信されるデジタル放送電波の中から、後述する選局部４４から受信指示された論理チャンネルが含まれる放送周波数の物理チャンネルを選局し、この選局した放送周波数の物理チャンネルを用いて送信されるデジタル放送のアナログ放送波受信信号を受信する。
【００３３】
デジタル復調部１２３は、選局された物理チャンネルのアナログ放送波受信信号からデジタル信号のＭＰＥＧ(Moving Picture Experts Group)２トランスポートストリーム(Transport Stream)信号（以下、ＭＰＥＧ２−ＴＳ信号と略称する）の復調を行い、この復調したＭＰＥＧ２−ＴＳ信号から、選択された論理チャンネルに対応する、パケット化されたＭＰＥＧ２エレメンタルストリーム信号（以下、ＭＰＥＧ２−ＰＥＳ(Packetized Elementarty Stream)信号と略称する）を抽出する。
【００３４】
多重分離部１２４は、後述する制御手段としてのＣＰＵ４０による制御指示に基づいて、デジタル復調部１２３から供給されるＭＰＥＧ２−ＰＥＳ信号を、ＭＰＥＧ２ビデオエレメンタルストリーム信号（以下、ＭＰＥＧ２―Ｖｉｄｅｏ―ＥＳ(Elementarty Stream)信号と略称する）と、ＭＰＥＧ１オーディオエレメンタルストリーム信号（以下、ＭＰＥＧ１−Ａｕｄｉｏ−ＥＳ信号と略称する）と、これら以外の、例えばＥＰＧ(Electronic Program Guide)のような付加データが組み込まれた付加データ信号とに分離し、これらを出力する。
【００３５】
ＩＰ(Internet Protocol)放送受信部１３は、ネットワークインタフェース部１３１と、ＩＰ放送チューナー部１３２と、前述したデジタル放送受信部１２との間で共用される多重分離部１２４とを備えている。
【００３６】
ネットワークインタフェース部１３１は、図示の例では、図示せぬＩＰ網と接続されているＬＡＮ（Local Area Network）１３３を介して、コンテンツ配信サービス会社（動画配信サービス会社）のサーバとＩＰ網を介して回線接続され、例えば、後述する選局部４４によって生成されたＴＣＰ(Transmission Control Protocol)に基づく所望のコンテンツの配信要求を、ＩＰパケットに組み込んでコンテンツ配信サービス会社の配信サーバへ送信する。
【００３７】
また、ネットワークインタフェース部１３１は、例えば、コンテンツ配信サービス会社の配信サーバからＩＰ網を介して送信されてくる、配信要求したコンテンツのストリーミングデータやコンテンツリスト等の付加データについてのＭＰＥＧ２プログラムストリーム信号（以下、「ＭＰＥＧ２−ＰＳ(Program Stream)信号」と称する）がＵＤＰ(User Datagram Protocol)プロトコルに基づき組み込まれているＩＰパケットを受信し、このＵＤＰに基づくコンテンツのストリーミングデータや付加データについてのＭＰＥＧ２−ＰＳ信号を取り出して出力する。
【００３８】
ＩＰ放送チューナー部１３２は、ネットワークインタフェース部１３１から供給される、ＵＤＰに基づくコンテンツのストリーミングデータや付加データについてのＭＰＥＧ２−ＰＳ信号の復調を行い、このＭＰＥＧ２−ＰＳ信号にパケット化されて組み込まれているＭＰＥＧ−ＰＥＳ信号を取り出して出力する。
【００３９】
多重分離部１２４は、後述する制御手段としてのＣＰＵ４０による制御指示に基づいて、ＩＰ放送チューナー部１３２から供給されるＭＰＥＧ２−ＰＥＳ信号を、ＭＰＥＧ２―Ｖｉｄｅｏ―ＥＳ信号と、ＭＰＥＧ１−Ａｕｄｉｏ−ＥＳ信号と、これら以外の、例えば視聴可能なコンテンツのコンテンツ情報が記載されたコンテンツリストデータのような付加データが組み込まれた付加データ信号とに分離し、これらを出力する。
【００４０】
そして、上述したアナログ放送受信部１１によって受信復調されたビデオ映像信号及びオーディオ信号、デジタル放送受信部１２によって受信復調されたＭＰＥＧ２―Ｖｉｄｅｏ―ＥＳ信号，ＭＰＥＧ１−Ａｕｄｉｏ−ＥＳ信号，及び付加データ信号、ＩＰ放送受信部１３よって受信復調されたＭＰＥＧ２―Ｖｉｄｅｏ―ＥＳ信号，ＭＰＥＧ１−Ａｕｄｉｏ−ＥＳ信号，及び付加データ信号は、後段の映像音声出力処理部２０によって映像音声処理される。これにより、映像表示装置としての例えば液晶表示装置３１からは、コンテンツ映像や、電子番組表又はコンテンツリストのＯＳＤ画像が表示出力され、音声出力装置としてのスピーカ３２からは、コンテンツ映像に対応した音声が出力される。
【００４１】
本実施例では、映像音声出力処理部２０は、ビデオデコード／キャプチャ部２１１，ビデオセレクタ部２１２，ＥＰＧ／ＯＳＤ／予約処理部２１３，加算部（画像重畳部）２１４，ビデオ出力変換部２１５，オーディオデコード部２２１，オーディオセレクタ部２２２，及びオーディオ出力変換部２２３を備えた構成になっている。
【００４２】
ビデオデコード／キャプチャ部２１１は、多重分離部１２４から出力されるＭＰＥＧ２―Ｖｉｄｅｏ―ＥＳ信号を形成する、ストリーミング映像データが組み込まれたＰＥＳ(Packetized Elementarty Stream)パケットをバッファリングし、このＰＥＳパケットからストリーミング映像データをデコード（復号）して、ビデオ映像信号に再生して出力する。
【００４３】
また、ビデオデコード／キャプチャ部２１１は、後述する制御手段としてのＣＰＵ４０による画像キャプチャ指示に基づいて、例えばその際に再生しているビデオ映像信号に基づくコンテンツ映像（静止画）をキャプチャデータ（キャプチャ画像データ）として取り込む。
【００４４】
このビデオデコード／キャプチャ部２１１により取り込まれて生成されたキャプチャ画像データは、ＣＰＵ４０により読み出され、後述の不揮発性メモリ４２に形成された視聴コンテンツのキャプチャ画像データ記憶部５２に、その際の視聴していた配信コンテンツの配信側（コンテンツ配信サービス会社側）で付されたコンテンツ識別情報（コンテンツＩＤ情報）や、当該コンテンツのストリーミングデータの先頭からの時間軸位情報等からなるレジューム情報の構成情報とに対応付けられて、記憶される。
【００４５】
ビデオセレクタ部２１２は、ビデオデコード／キャプチャ部２１１でデコードし再生したコンテンツのビデオ映像信号、及び前述したアナログ放送受信部１１のＡＶスイッチ部１１３からのビデオ映像信号が供給されるようになっており、後述する制御手段としてのＣＰＵ４０による出力選択指示に基づいて、いずれか一方のビデオ映像信号を選択出力する。
【００４６】
ＥＰＧ／ＯＳＤ／予約処理部２１３は、多重分離部１２４から出力されるＥＰＧやコンテンツリストデータのような付加データが組み込まれた付加データ信号を形成する、ストリーミング付加データが組み込まれたＰＥＳパケットをバッファリングし、このＰＥＳパケットからストリーミング付加データをデコード（復号）して、付加データを再生する。
【００４７】
この再生した付加データが、例えば、視聴するコンテンツを選択するために利用されるＥＰＧやコンテンツリストについての付加データである場合は、ＥＰＧ／ＯＳＤ／予約処理部２１３は、このＥＰＧやコンテンツリストについての付加データに基づいてＥＰＧやコンテンツリストのＯＳＤ画像を生成し、ＥＰＧやコンテンツリストのＯＳＤ画像映像信号を出力する。
【００４８】
そして、ＥＰＧ／ＯＳＤ／予約処理部２１３では、この生成したＥＰＧやコンテンツリストのＯＳＤ画像の表示を利用して、コンテンツの視聴予約やこれから視聴するコンテンツの選択が、液晶表示装置３１に表示されたこのＯＳＤ画面上で、後述するリモコン送信機６１を操作して設定や選択が行える構成になっている。
【００４９】
また、ＥＰＧ／ＯＳＤ／予約処理部２１３は、後述する制御手段としてのＣＰＵ４０による制御指示に基づいて、セットトップボックス１-１自身や、このセットトップボックス１-１に接続されている液晶表示装置３１又は外部入力端子１１４を介して接続されている外部ＡＶ機器の各種操作設定のためのＯＳＤ画像を生成し、後述するリモコン送信機６１を操作して、セットトップボックス１-１自身をはじめとする液晶表示装置３１や外部ＡＶ機器の各種操作設定が行える構成になっている。
【００５０】
加算部２１４は、ビデオセレクタ部２１２から選択出力されるビデオ映像信号と、ＥＰＧ／ＯＳＤ／予約処理部２１３から出力されるＯＳＤ画像映像信号とを重畳し、ビデオセレクタ部２１２からのビデオ映像信号の画像の全部又は一部に、ＥＰＧ／ＯＳＤ／予約処理部２１３からのＯＳＤ画像映像信号のＯＳＤ画像を重ね合わせて、液晶表示装置３１で表示する出力画像信号を生成して出力する。
【００５１】
ビデオ出力変換部２１５は、加算部２１４からの出力画像信号を表示装置にその画像を表示させるための画像表示信号に変換して出力する。本実施例はセットトップボックス１-１であるので、ビデオ出力変換部２１５からの画像表示信号は、セットトップボックス１-１とは、別体の表示装置としての液晶表示装置３１に供給される。
【００５２】
オーディオデコード部２２１は、多重分離部１２４から出力されるＭＰＥＧ１―Ａｕｄｉｏ―ＥＳ信号を形成する、ストリーミング音声データが組み込まれたＰＥＳパケットをバッファリングし、このＰＥＳパケットからストリーミング音声データをデコード（復号）して、コンテンツのオーディオ信号（音声信号）に再生して出力する。
【００５３】
オーディオセレクタ部２２２は、オーディオデコード部２２１でデコードし再生したコンテンツのオーディオ信号、及び前述したアナログ放送受信部１１のＡＶスイッチ部１１３からのオーディオ信号が供給され、後述する制御手段としてのＣＰＵ４０による出力選択指示に基づいて、いずれか一方のオーディオ信号を出力オーディオ信号として選択して出力する。
【００５４】
オーディオ出力変換部２２３は、オーディオセレクタ部２２２から出力される出力オーディオ信号を、スピーカ３２を駆動させるためのオーディオ出力信号に変換して出力する。本実施例はセットトップボックス１-１であるので、ビデオ出力変換部２１５からのオーディオ出力信号は、セットトップボックス１-１とは、別体の音声出力装置としてのスピーカ３２に供給される。
【００５５】
そして、上述したＩＰ放送受信部１３のＩＰ放送チューナー部１３２、ＩＰ放送受信部１３及びデジタル放送受信部１２で共用する多重分離部１２４、並びに映像音声出力処理部２０のビデオデコード／キャプチャ部２１１，ＥＰＧ／ＯＳＤ／予約処理部２１３，及びオーディオデコード部２２１は、バス４１に接続され、次に説明する制御手段としてのＣＰＵ４０によるデータ読み取り又はデータ書き込みが可能な構成になっている。
【００５６】
制御手段としてのＣＰＵ４０は、バス４１を介して接続された不揮発性メモリ４２及びＲＡＭ４３を備える。
【００５７】
不揮発性メモリ４２には、ＣＰＵ４０による、当該セットトップボックス１-１が有する各種機能を実現するための各部制御処理の実行に必要なプログラム、及び機能毎の各部制御処理の実行に利用される固定データが記憶されている。また、この不揮発性メモリ４２には、当該セットトップボックス１-１自体の主電源がＯＦＦされても、次回この主電源がＯＮになるまでデータや補助プログラムを記憶保持しておくことが可能で、しかもデータの書き込み自在な補助記憶部４２１が含まれている。
【００５８】
この補助記憶部４２１には、レジューム情報記憶部５１や、キャプチャ画像データ記憶部５２、等が形成される。
【００５９】
レジューム情報記憶部５１には、ＣＰＵ４０が、ＩＰ放送チューナー部１３２で復調したＭＰＥＧ２−ＰＥＳ信号や、多重分離部１２４で分離したＭＰＥＧ２―Ｖｉｄｅｏ―ＥＳ信号及びＭＰＥＧ１−Ａｕｄｉｏ−ＥＳ信号にメタ情報として含まれているデータ添付情報を、ユーザのリモコン送信機６１の操作によるＶＯＤを用いたＩＰ放送の視聴操作に基づいてＩＰ放送チューナー部１３２や多重分離部１２４から読み出し、このデータ添付情報から取得された当該再生中のコンテンツに係る、当該配信コンテンツの配信側で付されたコンテンツ識別情報（コンテンツＩＤ情報）や、その視聴停止したコンテンツ映像部分に対応するストリーミングデータの先頭からの時間軸位置情報が、レジューム情報として記憶される。
【００６０】
キャプチャ画像データ記憶部５２には、ＣＰＵ４０が、同じくユーザのリモコン送信機６１によるＶＯＤを用いたＩＰ放送の視聴終了操作に基づいてビデオデコード／キャプチャ部２１１に生成させた、視聴終了したコンテンツのキャプチャ画像データが、レジューム情報記憶部５１に記憶される当該視聴停止したコンテンツのレジューム情報との対応を取って記憶される。
【００６１】
一方、ＲＡＭ４３には、不揮発性メモリ４２に記憶されているプログラムの実行時の作業領域、及びその際に一時的に生成されて利用されるデータが格納される。  
【００６２】
さらに、本実施例では、制御手段としてのＣＰＵ４０は、バス４１を介して、選局部４４，ビデオマウスマイコン４５，通信制御部４６，及びリモコン受光部４７とデータ接続されている。
【００６３】
選局部４４は、本実施例の場合、コンテンツの視聴開始に基づき、ＣＰＵ４０から供給されるユーザによって選択又は視聴予約された視聴コンテンツのメディア種別及びコンテンツ識別情報に基づいて、選択されたメディア種別に対応した放送受信部１０(１１，１２，１３のいずれか)に対し、選択された視聴コンテンツのコンテンツ識別情報による受信指示を供給する。
【００６４】
例えば、選択されたメディア種別がアナログテレビジョン放送である場合は、選局部４４は、アナログチューナー部１１２に、コンテンツ識別情報として選択された放送チャンネルの受信指示を供給する。また、選択されたメディア種別がデジタルテレビジョン放送である場合は、選局部４４は，デジタルチューナー部１２２に、コンテンツ識別情報として選択された論理チャンネルの受信指示を供給する。また、選択されたメディア種別がＩＰ放送である場合は、選局部４４は、ネットワークインタフェース部１３１に、コンテンツ識別情報として、選択されたコンテンツに対応してコンテンツ配信側で付されたコンテンツ識別情報（コンテンツＩＤ情報）を含む、ＴＣＰによる配信要求を供給する。
【００６５】
リモコン受光部４７は、リモコン送信機６１からのユーザ操作に基づいて送信される、選局等を含む各種操作指示を受信し、これを各種制御手段としてのＣＰＵ４０への指示に変換する。
【００６６】
通信制御部４６は、本実施例の場合は電話回線と接続され、例えばユーザの携帯電話端末から電話回線を介して供給される、視聴予約を含むセットトップボックス１-１に対しての各種操作指示を受信し、これを各種制御手段としてのＣＰＵ４０への指示に変換したり、ＴＣＰによる配信要求等に変換してネットワークインタフェース部１３１に供給したりする。
【００６７】
ビデオマウスマイコン４５は、リモコン受光部４７が受信して変換したＣＰＵ４０への指示が、セットトップボックス１-１に接続されている液晶表示装置３１や外部ＡＶ機器に対しての機器操作指示である場合に、この指示を対象機器のリモコン信号に変換して、赤外線出力端子４８から発信出力する。
【００６８】
次に、上記構成を有する本実施例のセットトップボックス１-１のＩＰ放送受信部１３を用いて、配信サーバに配信要求したコンテンツを受信して視聴する場合に、制御手段としてのＣＰＵ４０が行うＶＯＤ処理について説明する。
【００６９】
図２は、制御手段としてのＣＰＵが実行するＶＯＤ処理のフローチャートである。
【００７０】
ユーザがリモコン送信機６１の所定操作によってＩＰ放送の視聴を選択し、その対応指示がリモコン受光部４７によって受信され、リモコン受光部４７からのＩＰ放送の視聴指示がＣＰＵ４０に供給されると、ＣＰＵ４０は、デジタル放送受信部１２とＩＰ放送受信部１３とで共用している多重分離部１２４を、ＩＰ放送受信部１３のＩＰ放送チューナー部１３２から供給されるＭＰＥＧ２−ＰＥＳ信号について、分離処理を行うように制御する。また、ＣＰＵ４０は、映像音声出力処理部２０のビデオセレクタ部２１２及びオーディオセレクタ部２２２を、ビデオデコード／キャプチャ部２１１及びオーディオデコード部２２１からの入力を出力する側へ切り換える。
【００７１】
その上で、ＣＰＵ４０は、不揮発性メモリ４２に固定データとして記憶されているＶＯＤ処理のプログラムを実行開始する（ステップＳ010）。
【００７２】
ＣＰＵ４０は、まず、ユーザがＩＰ放送の視聴コンテンツを選択できるようにするために、ＩＰ放送受信部１３のネットワークインタフェース部１３１によって、コンテンツ配信サービス会社の配信サーバ宛の接続要求を、ＩＰ網と接続されているＬＡＮ１３３を介して送信し、コンテンツ配信サービス会社の配信サーバとの間のＩＰ網を介した回線接続をはかる。
【００７３】
ＣＰＵ４０は、ネットワークインタフェース部１３１が配信サーバからの接続応答を受信して、コンテンツ配信サービス会社の配信サーバとの回線接続がなされたならば、ネットワークインタフェース部１３１によって、コンテンツ配信サービス会社の配信サーバから配信されてくる、コンテンツリストデータのＭＰＥＧ２−ＰＳ信号がＵＤＰプロトコルに基づき組み込まれているＩＰパケットを受信する。そして、ＩＰ放送チューナー部１３２によって、コンテンツリストデータを含むＭＰＥＧ２−ＰＥＳ信号が取り出された後、コンテンツリストデータは多重分離部１２４で分離されてＥＰＧ／ＯＳＤ／予約処理部２１３に供給される。
【００７４】
ＥＰＧ／ＯＳＤ／予約処理部２１３は、コンテンツリストデータが組み込まれたＰＥＳパケットをバッファリングし、このＰＥＳパケットからコンテンツリストデータをデコード（復号）して再生し、コンテンツ配信サービス会社のサーバから配信可能なコンテンツのコンテンツ情報データを取得する（ステップＳ020）。
【００７５】
なお、このコンテンツ情報データには、配信可能なコンテンツそれぞれの、配信要求の際に必要な、配信側で付されたコンテンツ識別情報（コンテンツＩＤ情報）を含むものであり、本実施例の場合は、さらに、配信可能なコンテンツそれぞれの配信側で付された、サムネイル，コンテンツタイトル，コンテンツの属性情報（例えば、再生時間や解像度）， コンテンツの説明文，及び価格情報といった項目情報も含まれている。
【００７６】
次に、ＣＰＵ４０は、ＥＰＧ／ＯＳＤ／予約処理部２１３から取得したコンテンツ情報データの中の、例えばコンテンツ識別情報を取り出し、この取得したコンテンツ識別情報それぞれについて、不揮発性メモリ４２のレジューム情報記憶部５１を検索する（ステップＳ030）。このレジューム情報記憶部５１には、前述したように、視聴中断したコンテンツそれぞれのコンテンツ識別情報と対応付けて、その視聴停止したコンテンツ映像部分に対応する、コンテンツのストリーミングデータの先頭からの時間軸位置情報が、レジューム情報として記憶されている。
【００７７】
ＣＰＵ４０は、このレジューム情報記憶部５１の検索によって、既に記憶されているレジューム情報の中に、コンテンツ配信サービス会社から取得したコンテンツ情報データに含まれているコンテンツ識別情報を含むレジューム情報がない場合には（ステップＳ040）、これらレジューム情報がなかったコンテンツ識別情報それぞれについて、コンテンツ配信サービス会社のサーバからの復号したコンテンツ情報データに含まれている、配信側で付された、サムネイル，コンテンツタイトル，コンテンツの再生時間や解像度といった属性情報，コンテンツの説明文，価格情報といった項目情報に基づく、該当コンテンツそれぞれの項目表示データを、ＥＰＧ／ＯＳＤ／予約処理部２１３に対して作成させる（ステップＳ050）。
【００７８】
これに対し、ＣＰＵ４０は、このレジューム情報記憶部５１の検索によって、既に記憶されているレジューム情報の中に、コンテンツ配信サービス会社から取得したコンテンツ情報データに含まれているコンテンツ識別情報を含むレジューム情報があった場合には（ステップＳ050）、このレジューム情報を有するコンテンツ識別情報それぞれについて、キャプチャ画像データ記憶部５２から当該コンテンツ識別情報、すなわち視聴中断しているコンテンツのレジューム情報に対応するキャプチャ画像データを取得する。そして、これらレジューム情報があったコンテンツ識別情報それぞれについて、取得したストリーミングデータの先頭からの時間軸位置情報を含むレジューム情報及び当該コンテンツについてのキャプチャ画像データを対応付けて、ＥＰＧ／ＯＳＤ／予約処理部２１３に項目表示用資料データとして供給し、コンテンツ配信サービス会社のサーバからの復号したコンテンツ情報データに含まれている、配信側で付された、サムネイル，コンテンツタイトル，コンテンツの属性情報（例えば、再生時間や解像度），コンテンツの説明文，及び価格情報といった項目情報にキャプチャ画像データを付加した、該当コンテンツそれぞれの項目表示データを、ＥＰＧ／ＯＳＤ／予約処理部２１３に対して作成させる（ステップＳ060）。
【００７９】
ＥＰＧ／ＯＳＤ／予約処理部２１３は、コンテンツ情報データの中のコンテンツ識別情報（コンテンツＩＤ）全て又は所定の一部について、ＥＰＧ／ＯＳＤ／予約処理部２１３によるそれぞれ項目表示データの作成が完了すると、これらコンテンツそれぞれの項目表示データを基にした、視聴可能なコンテンツをユーザに案内するためのコンテンツ案内ＯＳＤ画面を生成し、このコンテンツ案内ＯＳＤ画面の映像信号を加算部２１４に出力する。
【００８０】
加算部２１４では、この場合はユーザによる視聴するコンテンツの選択が未だなされておらず、ビデオデコード／キャプチャ部２１１からは未だビデオ映像信号が供給されていないため、加算部２１４からはＥＰＧ／ＯＳＤ／予約処理部２１３によって生成されたコンテンツ案内ＯＳＤ画面の映像信号がそのままビデオ出力変換部２１５に出力され、液晶表示装置３１には、コンテンツリストに基づくコンテンツ案内画面がＯＳＤ表示される（ステップＳ070）。
【００８１】
図３は、本実施の形態のセットトップボックスによるコンテンツ案内画面の説明図である。図示の例は、１画面に４タイトル毎のコンテンツを切換可能に表示するコンテンツ案内画面７０を示したものである。
【００８２】
コンテンツ案内画面７０上における各コンテンツ７１-１〜７１-４のコンテンツ案内部７２は、コンテンツ配信サービス会社からのコンテンツ情報データに含まれている、サムネイルａ，コンテンツタイトルｂ，コンテンツの属性情報ｃ，コンテンツの説明文ｄ，価格情報ｅをそれぞれ表示する配信元作成情報案内部７３ａ〜７３ｅと、配信先としてのコンテンツ再生装置１側で作成されたレジューム関係情報等を表示する配信先作成情報案内部７４とを有する構成になっている。
【００８３】
図示の例では、キャプチャ画像データを含む、すなわちレジューム情報記憶部５１にレジューム情報が記憶されているコンテンツの項目表示データの、キャプチャ画像データの再生画像ｖが、配信先作成情報案内部７４に表示される。これにより、このコンテンツが視聴中断したもので、視聴中断した場面（シーン）のコンテンツ映像の様子が案内される構成になっている。
【００８４】
例えば、コンテンツ７１-１及びコンテンツ７１-３については、そのコンテンツ案内部７２の配信先作成情報案内部７４にコンテンツ映像が表示され、ユーザは、コンテンツの選択の際に、コンテンツ７１-１及びコンテンツ７１-３が視聴中断したものであり、どのような場面で視聴中断したのか容易に把握できるようになっている。なお、視聴中断した場面のコンテンツ映像のための、キャプチャ画像データの取得構成については、後述する。
【００８５】
これに対し、コンテンツ７１-２及びコンテンツ７１-４については、そのコンテンツ案内部７２の配信先作成情報案内部７４にコンテンツ映像が表示されておらず、項目表示データにキャプチャ画像データが含まれておらず、レジューム情報のないコンテンツが表示されているものである。したがって、ユーザは、コンテンツの選択の際に、コンテンツ７１-２及びコンテンツ７１-４が、本実施例の場合は、未視聴又は既に全編視聴完了したものであることが容易に把握できるようになっている。
【００８６】
このような構成からなる、コンテンツ案内画面７０では、リモコン送信機６１の操作部の所定操作によって、項目表示データが表示されるコンテンツ７１-１〜７１-４が切り換えられ、画面上で所望のコンテンツの配信を選択設定できるようになっている。
【００８７】
図２に戻り、ユーザが所望のコンテンツを選択し、その配信要求の送信を設定すると、その際におけるリモコン送信機６１の各操作は、リモコン受光部４７を介してＣＰＵ４０に供給され、ＣＰＵ４０はその操作に対応する指示をＥＰＧ／ＯＳＤ／予約処理部２１３に供給し、ＥＰＧ／ＯＳＤ／予約処理部２１３によって選択された対応するコンテンツの配信が決定される（ステップＳ080）。
【００８８】
ＥＰＧ／ＯＳＤ／予約処理部２１３によって配信を受けるコンテンツが決定されると、そのコンテンツ識別情報、並びにレジューム情報がある場合はそのストリーミングデータの先頭からの時間軸位置情報が、ＣＰＵ４０の制御下で、ＥＰＧ／ＯＳＤ／予約処理部２１３から選局部４４に供給される。選局部４４は、コンテンツ識別情報にストリーミングデータの先頭からの時間軸位置情報が必要に応じて付加されている、ＩＰ放送に係る選局指示がＥＰＧ／ＯＳＤ／予約処理部２１３から供給されると、コンテンツ配信サービス会社との間で予め定められた形式でＴＣＰによる配信要求を作成し、ネットワークインタフェース部１３１に供給する。ネットワークインタフェース部１３１は、選局部４４からＴＣＰによる配信要求が供給されると、これをＩＰパケットに組み込んで、ＩＰ網を介して回線接続されているコンテンツ配信サービス会社の配信サーバに、ＬＡＮ１３３を介して送信する。
【００８９】
一方、ＩＰ網を介してこのセットトップボックス１-１と回線接続されているコンテンツ配信サービス会社の配信サーバでは、このセットトップボックス１-１からの配信要求のＩＰパケットを受信すると、そのＴＣＰに基づく配信要求に、レジューム情報（この場合は、ストリーミングデータの先頭からの時間軸位置情報）が含まれているか否かを確認する（ステップＳ090）。
【００９０】
コンテンツ配信サービス会社の配信サーバでは、この確認の結果、配信要求にレジューム情報が含まれていない場合は、配信要求されたコンテンツを、そのコンテンツデータ先頭から分割してＵＤＰプロトコルによりストリーミング形式で、回線接続されている配信先のセットトップボックス１-１に対し、ＩＰ網を介して配信開始する（ステップＳ100）。
【００９１】
これに対し、配信要求にレジューム情報が含まれている場合には、コンテンツ配信サービス会社の配信サーバは、そのレジューム情報に含まれたストリーミングデータの先頭からの時間軸位置（経過時間）を基にしたコンテンツの対応する再生時間位置から、配信要求されたコンテンツのコンテンツデータを分割してＵＤＰプロトコルによりストリーミング形式で、回線接続されている配信先のセットトップボックス１-１に対し、ＩＰ網を介して配信開始する（ステップＳ110）。
【００９２】
そして、この場合、レジューム情報に含まれたストリーミングデータの先頭からの時間軸位置（経過時間）を基にしたコンテンツの対応する再生時間位置と、前述のコンテンツ案内画面７０の配信先作成情報案内部７４に表示されるキャプチャ画像データの再生画像ｖに係るストリーミングデータの先頭からの時間軸位置（経過時間）とが一致している場合には、コンテンツ配信サービス会社の配信サーバからは、キャプチャ画像データの再生画像の部分から配信が開始されることになる。
【００９３】
セットトップボックス１-１では、コンテンツ配信サービス会社の配信サーバから配信要求したコンテンツの配信が開始されると、ネットワークインタフェース部１３１が、配信要求したコンテンツのストリーミングデータの受信を開始する。ネットワークインタフェース部１３１は、配信要求したコンテンツのＭＰＥＧ２−ＰＳ信号がＵＤＰプロトコルに基づき組み込まれているＩＰパケットを受信し、このＵＤＰに基づくＭＰＥＧ２−ＰＳ信号を取り出して出力する。
【００９４】
ＩＰ放送チューナー部１３２は、ネットワークインタフェース部１３１から供給される、ＵＤＰに基づくＭＰＥＧ２−ＰＳ信号の復調を行い、このＭＰＥＧ２−ＰＳ信号にパケット化されて組み込まれている配信要求したコンテンツのＭＰＥＧ−ＰＥＳ信号を取り出して出力する。
【００９５】
多重分離部１２４は、ＩＰ放送チューナー部１３２から供給されるＭＰＥＧ２−ＰＥＳ信号を、ＭＰＥＧ２―Ｖｉｄｅｏ―ＥＳ信号と、ＭＰＥＧ１−Ａｕｄｉｏ−ＥＳ信号と、付加データ信号とに分離し、これらを出力する。
【００９６】
そして、ＩＰ放送受信部１３よって受信復調されたＭＰＥＧ２―Ｖｉｄｅｏ―ＥＳ信号，ＭＰＥＧ１−Ａｕｄｉｏ−ＥＳ信号は、後段の映像音声出力処理部２０によって映像音声処理される。これにより、映像表示装置としての例えば液晶表示装置３１からは、配信要求したコンテンツのコンテンツ映像が、音声出力装置としてのスピーカ３２からは、配信要求したコンテンツのコンテンツ映像に対応した音声が出力される（ステップＳ120）。
【００９７】
その後、リモコン送信機６１の操作部の所定操作によって、コンテンツの再生が終了操作されると、その際におけるリモコン送信機６１の視聴終了操作（再生終了操作）はリモコン受光部４７によって受信され、ＣＰＵ４０には視聴終了（再生終了）の指示が供給される（ステップＳ130）。
【００９８】
ＣＰＵ４０は、この視聴終了の指示が供給されると、選局部４４に対し、ネットワークインタフェース部１３１にコンテンツ配信サービス会社の配信サーバに配信要求したコンテンツの配信を終了停止させる指示を供給するとともに、ビデオデコード／キャプチャ部２１１及びオーディオデコード部２２１にコンテンツのビデオ映像信号及び音声信号の出力停止を指示する等の処理を行う一方、配信要求したコンテンツ全編の視聴終了に基づくものか、コンテンツの途中での視聴中断による視聴終了に基づくものかを判別する（ステップＳ140）。
【００９９】
この判別は、ＣＰＵ４０が、コンテンツの再生中に取得している、ＩＰ放送チューナー部１３２で復調したＭＰＥＧ２−ＰＥＳ信号にメタ情報として含まれているデータ添付情報や、多重分離部１２４で分離された又はビデオデコード／キャプチャ部２１１にバッファリングされている、ＭＰＥＧ２―Ｖｉｄｅｏ―ＥＳ信号にメタ情報として含まれているデータ添付情報を、視聴終了の指示の供給に基づき、確認することによって行う。
【０１００】
具体的には、視聴終了の指示の供給が供給されたときに、データ添付情報として配信要求したコンテンツのストリ-ミングデータの配信終了を示す情報がメタ情報に記載されているＭＰＥＧ２−ＰＥＳパケットを、ＩＰ放送チューナー部１３２で既に復調している場合や、分離したＭＰＥＧ２―Ｖｉｄｅｏ―ＥＳパケットのメタ情報に、データ添付情報として配信要求したコンテンツの分割されたストリ-ミング映像データの終了を示す情報がメタ情報に記載されているＭＰＥＧ２―Ｖｉｄｅｏ―ＥＳパケットを、多重分離部１２４で既に分離している場合は、ＣＰＵ４０は、その供給された視聴終了の指示が、配信要求したコンテンツ全編の視聴終了（再生終了）に基づくものと判別する。
【０１０１】
これに対し、ＩＰ放送チューナー部１３２で、配信要求したコンテンツのストリ-ミングデータの配信終了を示す情報がそのメタ情報に記載されているＭＰＥＧ２−ＰＥＳパケットを未だ復調していない場合や、多重分離部１２４で、コンテンツの分割されたストリ-ミング映像データの終了を示す情報がそのメタ情報に記載されているＭＰＥＧ２―Ｖｉｄｅｏ―ＥＳパケットが未だ分離されていない場合には、ＣＰＵ４０は、その供給された視聴終了の指示が、コンテンツの途中での視聴中断による視聴終了に基づくものと判別する。
【０１０２】
ここで、ＣＰＵ４０は、コンテンツの途中での視聴中断を判別すると、上記コンテンツの途中での視聴中断による視聴終了を判別する際に用いた、ＩＰ放送チューナー部１３２で復調したＭＰＥＧ２−ＰＥＳ信号にメタ情報として含まれているデータ添付情報や、多重分離部１２４で分離された又はビデオデコード／キャプチャ部２１１にバッファリングされている、ＭＰＥＧ２―Ｖｉｄｅｏ―ＥＳ信号にメタ情報として含まれているデータ添付情報を基に、今回視聴中断したコンテンツのコンテンツ識別情報に、視聴終了の指示が供給された際のストリーミングデータの先頭からの時間軸位置（経過時間）を基に生成した再生時間位置情報（次回再生開始時間位置情報）を対応付け、これを今回視聴中断したコンテンツのレジューム情報として取得する。
【０１０３】
ＣＰＵ４０は、上述した如くの今回視聴中断したコンテンツのレジューム情報の取得処理とともに、ビデオデコード／キャプチャ部２１１に、視聴終了の指示が供給されたとき又はその前後近傍の、ビデオデコード／キャプチャ部２１１が再生したコンテンツ映像を、キャプチャ画像データとして取り込む指示に供給して、ビデオデコード／キャプチャ部２１１から当該指示に基づき取り込んだキャプチャ画像データの提供を受ける（ステップＳ150）。
【０１０４】
なお、この場合における、ビデオデコード／キャプチャ部２１１でのキャプチャ画像データの生成処理については、種々の処理が可能である。例えば、ビデオデコード／キャプチャ部２１１は、配信要求したコンテンツの再生中に、現在再生しているコンテンツ映像に基づくキャプチャ画像データを定期的に生成し、逐次最新のキャプチャ画像データに更新保存する構成であって、ＣＰＵ４０から供給されるキャプチャ画像データの取り込み指示に基づいて、現在更新保存されているキャプチャ画像データをＣＰＵ４０に提供する構成であってもよいし、また、ＣＰＵ４０から供給されるキャプチャ画像データの取り込み指示により、現在バッファリングされているＭＰＥＧ２―Ｖｉｄｅｏ―ＥＳ信号に基づいてキャプチャ画像データを生成してＣＰＵ４０に提供する構成であってもよく、種々の処理が可能である。
【０１０５】
さらに、ＣＰＵ４０から供給されるキャプチャ画像データの取り込み指示についても、上記コンテンツの途中での視聴中断による視聴終了を判別する際に用いた、ＩＰ放送チューナー部１３２で復調したＭＰＥＧ２−ＰＥＳ信号にメタ情報として含まれているデータ添付情報や、多重分離部１２４で分離された又はビデオデコード／キャプチャ部２１１にバッファリングされている、ＭＰＥＧ２―Ｖｉｄｅｏ―ＥＳ信号にメタ情報として含まれているデータ添付情報を基にした、ストリーミングデータの先頭からの時間軸位置（経過時間）を指定したコンテンツ映像の取り込みをビデオデコード／キャプチャ部２１１に指示することによって、この取り込んだコンテンツ映像を、次に説明するレジューム情報の再生時間位置情報（次回再生開始時間位置情報）に対応するコンテンツ映像に一致させることも可能になる。
【０１０６】
また、ＣＰＵ４０は、ビデオデコード／キャプチャ部２１１から、キャプチャ画像データの取り込み指示に基づき取り込んだキャプチャ画像データの提供を受けると、この提供されたキャプチャ画像データに対して、縮小・圧縮等といったデータ処理を施し、図３に示したコンテンツ案内画面７０の、配信先で作成されたレジューム関係情報等を表示する配信先作成情報案内部７４に貼付表示するに適したデータ容量のキャプチャ画像データに変換する（ステップＳ160）。このキャプチャ画像データの変換は、次回のＩＰ放送を受信する際に、そのコンテンツ案内画面７０の作成に利用される、前述のステップＳ060で示した、当該コンテンツについての項目表示データの作成時、その作成処理の迅速化をはかり、ひいてはコンテンツ案内画面７０の表示処理のさらなる迅速化をはかるためのものである。
【０１０７】
そして、ＣＰＵ４０は、ステップＳ150で取得した、今回視聴中断したコンテンツのレジューム情報をレジューム情報記憶部５１に記憶するとともに、ステップＳ150で取得し、ステップＳ160で縮小・圧縮等といったデータ処理を施した今回視聴中断したコンテンツについてのキャプチャ画像データを、レジューム情報記憶部５１に記憶した今回視聴中断したコンテンツのレジューム情報に対応付けて、キャプチャ画像データ記憶部５２に記憶する（ステップＳ170）。
【０１０８】
ＣＰＵ４０は、本実施例では、レジューム情報記憶部５１に今回視聴中断したコンテンツのレジューム情報を記憶するにあたっては、レジューム情報記憶部５１に既に記憶されているレジューム情報に含まれるコンテンツ識別情報を検索確認し、既に同じコンテンツ識別情報を含むレジューム情報が存在する場合には、この既に存在する同じコンテンツ識別情報を含むレジューム情報に代えて、今回視聴中断で生成したレジューム情報を更新記憶する構成になっている。なお、本実施例で、ユーザが同一コンテンツについて視聴中断を繰り返しながら視聴している場合であっても、レジューム情報記憶部５１に最先に視聴中断した場合のレジューム情報のみを記憶し、同じコンテンツについて、再生時間位置情報が互いに異なる複数のレジューム情報を記憶しない構成にしたのは、次回の視聴選択操作の複雑化、及び視聴コンテンツの誤選択を防ぐためである。
【０１０９】
また、ＣＰＵ４０は、キャプチャ画像データをキャプチャ画像データ記憶部５２に記憶するにあたってのレジューム情報との対応付けは、例えば、レジューム情報に含まれる今回視聴中断したコンテンツのコンテンツ識別情報や、レジューム情報記憶部５１における対応するレジューム情報の記憶場所（記憶位置）と対応付けて、キャプチャ画像データ記憶部５２に記憶する構成としてもよいし、また、逆に、レジューム情報に、対応するキャプチャ画像データのキャプチャ画像データ記憶部５２における記憶場所（記憶位置）を付加して、レジューム情報記憶部５１に記憶する構成としてもよい。
【０１１０】
これに対し、ＣＰＵ４０が、前述のステップＳ130において、その供給された視聴終了の指示が、配信要求したコンテンツ全編の視聴終了に基づくものと判別した場合は、ＣＰＵ４０は、レジューム情報記憶部５１に既に記憶されているレジューム情報に含まれるコンテンツ識別情報を検索確認し、今回視聴したコンテンツのコンテンツ識別情報を含むレジューム情報が記憶されているか否かを確認する。そして、今回視聴したコンテンツのコンテンツ識別情報を含むレジューム情報が記憶されている場合には、ＣＰＵ４０は、レジューム情報記憶部５１から、今回視聴したコンテンツのレジューム情報を記憶削除するとともに、キャプチャ画像データ記憶部５２に記憶されている対応付けられたキャプチャ画像データも記憶削除する（ステップＳ180）。
【０１１１】
この全編の再生が終了したコンテンツについて、そのレジューム情報や対応付けられたキャプチャ画像を記憶削除するのも、次回のＩＰ放送を受信する際に、そのコンテンツ案内画面７０の作成に利用される、前述のステップＳ060で示した、当該コンテンツについての項目表示データの作成時、その処理の迅速化をはかり、ひいてはコンテンツ案内画面７０の表示処理のさらなる迅速化をはかるためのものである。
【０１１２】
そして、本実施の形態のセットトップボックス１-１は、ユーザによるリモコン送信機６１のＩＰ放送のコンテンツの視聴終了操作に基づき、ＣＰＵ４０は、ステップＳ140〜Ｓ180で説明した処理を行った後に、ストリーミング形式で配信されるＩＰ放送のコンテンツの視聴に係るＶＯＤ処理を終了する（ステップＳ190）。
【０１１３】
なお、本実施の形態のセットトップボックス１-１の場合は、ユーザによるリモコン送信機６１のＩＰ放送のコンテンツの視聴終了操作の中には、ストリーミング形式で配信されるコンテンツ自体の視聴終了の他、必要に応じ、ＩＰ放送から他のメディア種別のコンテンツ視聴へのユーザによる切り換え操作、等も含ますことも可能である。
【０１１４】
以上の説明したように構成される、本実施の形態のセットトップボックス１-１によれば、そのＩＰ放送受信部１３を用いて、ストリーミング方式で配信されるコンテンツを視聴する場合、これから視聴するコンテンツを選択する際には、以前に視聴中断したコンテンツの情報が、ユーザが所望のコンテンツを選択するために表示されるコンテンツ案内画面７０上に、以前に視聴中断したときの当該コンテンツのシーンを示したキャプチャ画像が、コンテンツ配信元のコンテンツ配信サービス会社のサーバから供給されるコンテンツ選択のためのコンテンツ情報データと一体的に表示されるので、視聴中断したコンテンツであることが判るだけではなく、既に視聴したシーンについての記憶の呼び出し、残りの未視聴部分の期待度の判定、及びその視聴中断した理由等のコンテンツ選択のためのさらなる情報をユーザに喚起させることができる。
【０１１５】
また、その以前に視聴中断したときのコンテンツのシーンを示したキャプチャ画像を含むコンテンツ案内画面７０の表示も、視聴中断したときのコンテンツのシーンのキャプチャ画像の取得を、セットトップボックス１-１自身により、当該コンテンツについてのユーザの視聴終了操作（視聴中断操作）に基づき行う構成になっているので、視聴開始に際してコンテンツ配信サービス会社のサーバにレジューム情報を送信して視聴中断したときのコンテンツのシーンを例えばコンテンツ情報データのサムネイル画像として取得する場合よりも、迅速化をはかることができる。
【０１１６】
さらに、視聴中断したときのコンテンツのシーンを示すためのキャプチャ画像は、当該コンテンツについてのユーザの視聴終了操作（視聴中断操作）に基づき、本来のキャプチャ画像に縮小・圧縮等といったデータ処理を施したキャプチャ画像であるので、コンテンツ案内画面７０の生成処理も、さらに迅速化をはかることができる。
【０１１７】
また、本実施の形態では、全編の視聴（再生）が終了したコンテンツについては、そのレジューム情報や対応付けられたキャプチャ画像が記憶削除される構成になっているので、コンテンツ案内画面７０の生成処理のより一層の迅速化をはかることができる。
【０１１８】
なお、本実施の形態のセットトップボックス１-１は、以上の説明したように構成されるが、その具体的な構成は、これに限られるものではない。
【０１１９】
例えば、本実施の形態では、ステップＳ180で、ＣＰＵ４０は、視聴終了の指示が、配信要求したコンテンツ全編の視聴終了に基づくものと判別した場合は、今回視聴したコンテンツのレジューム情報を記憶削除するとともに、キャプチャ画像データ記憶部５２に記憶されている対応付けられたキャプチャ画像データも記憶削除する構成としたが、新たに、今回全編の再生すなわち視聴が終了したコンテンツの識別情報等のメタ情報を、不揮発性メモリ４２に別途設けた視聴済コンテンツ記憶部に記憶しておくように構成し、この視聴済コンテンツ記憶部の記憶内容を基に、ステップＳ070で、コンテンツ案内画面７０におけるコンテンツ案内部７２の配信先作成情報案内部７４に、“視聴済”等の表示を行って、セットトップボックス１-１すなわちコンテンツ再生装置１側で、未視聴のコンテンツと既に全編視聴完了したコンテンツとの区別把握できるようにすることも可能である。
【０１２０】
また、コンテンツ案内画面７０の構成も、図３に示したような、１画面に４タイトル毎のコンテンツを切換可能に表示する表示態様や、未視聴のコンテンツ，視聴中断したコンテンツ，及び全編視聴完了（視聴終了）したコンテンツが１画面上に混在するものではなく、予めＯＳＤ画面に基づくユーザの案内コンテンツの選択操作に基づいて、未視聴，視聴中断，又は全編視聴完了それぞれに対応する専用のコンテンツ案内画面７０を生成し、案内するように構成することも可能である。
【０１２１】
さらに、本実施の形態ではセットトップボックス１-１を例に説明したが、本発明のコンテンツ再生装置は、配信元のサーバからストリーミング形式で配信される配信要求したコンテンツを受信して再生するものであれば、上記説明したセットトップボックス１-１に限るものではなく、ＩＰ放送受信部１３を備えているテレビジョン受信機や録画装置、又はパーソナルコンピュータ等も含むものである。
【図面の簡単な説明】
【０１２２】
【図１】本発明のコンテンツ再生装置の一実施の形態としてのセットトップボックスのシステム構成図である。
【図２】制御手段としてのＣＰＵが実行するＶＯＤ処理のフローチャートである。
【図３】本実施の形態のセットトップボックスによるコンテンツ案内画面の説明図である。
【符号の説明】
【０１２３】
１  コンテンツ再生装置
１-１  セットトップボックス
１０  放送受信部
１１  アナログ放送受信部
１１１  アンテナ
１１２  アナログチューナー部
１１３  ＡＶスイッチ部
１１４  外部入力端子
１２  デジタル放送受信部
１２１  アンテナ
１２２  デジタルチューナー部
１２３  デジタル復調部
１２４  多重分離部
１３  ＩＰ放送受信部
１３１  ネットワークインタフェース部
１３２  ＩＰ放送チューナー部
１３３  ＬＡＮ
２０  映像音声出力処理部
２１１  ビデオデコード／キャプチャ部
２１２  ビデオセレクタ部
２１３  ＥＰＧ／ＯＳＤ／予約処理部
２１４  加算部
２１５  ビデオ出力変換部
２２１  オーディオデコード部
２２２  オーディオセレクタ部
２２３  オーディオ出力変換部
３１  液晶表示装置
３２  スピーカ
４０  ＣＰＵ
４１  バス
４２  不揮発性メモリ
４２１  補助記憶部
４３  ＲＡＭ
４４  選局部
４５  ビデオマウスマイコン
４６  通信制御部
４７  リモコン受光部
４８  赤外線出力端子
５１  レジューム情報記憶部
５２  キャプチャ画像データ記憶部
６１  リモコン送信機
７０  コンテンツ案内画面
７１  コンテンツ
７２  コンテンツ案内部
７３  配信元作成情報案内部
７４  配信先作成情報案内部
【図１】
2008167251.tif 000003
【図２】
2008167251.tif 000004
【図３】
2008167251.tif 000005